(57)【要約】  本発明は、（ｉ）尿素；ならびに成分（ｉｉ）および（ｉｉｉ）の一方または両方を含む添加剤：（ｉｉ）アミノ基を含有する少なくとも１つのポリマーもしくはオリゴマーと、少なくとも１つの官能化ポリビニル化合物との組み合わせ；（ｉｉｉ）少なくとも１つの脂肪族Ｃ２−Ｃ８ジアルデヒド；ならびに１以上の成分（ｉｖ）〜（ｖｉ）を含むさらなる材料：（ｉｖ）硫黄；（ｖ）硫酸アンモニウム；（ｖｉ）少なくとも１つの微量元素；を含み、成分（ｉ）の重量による割合が＞１０重量％であり、組成物中の成分（ｉｉ）および（ｉｉｉ）の合計の重量による割合が＜１重量％である、粒状組成物、該粒状の尿素含有組成物の製造のためのこの添加剤の使用、ならびに組成物の製造および肥料としてのその使用のためのプロセスおよび装置に関する。【特許請求の範囲】
【請求項１】
（ｉ）尿素；
ならびに成分（ｉｉ）および（ｉｉｉ）の一方または両方を含む添加剤：
（ｉｉ）アミノ基を含有する少なくとも１つのオリゴマーもしくはポリマーと、少なくとも１つの官能化ポリビニル化合物との組み合わせ；
（ｉｉｉ）少なくとも１つの脂肪族Ｃ２−Ｃ８ジアルデヒド；
ならびに成分（ｉｖ）〜（ｖｉ）の１以上を含むアジュバント：
（ｉｖ）硫黄；
（ｖ）硫酸アンモニウム；
（ｖｉ）少なくとも１つの微量元素；
を含む粒状組成物であって、
成分（ｉ）の重量分率が＞１０重量％であり、組成物中の成分（ｉｉ）および（ｉｉｉ）の合計の重量分率が＜１重量％である、粒状組成物。
【請求項２】
（ｉ）尿素；
ならびに成分（ｉｉ）および（ｉｉｉ）の一方または両方を含む添加剤：
（ｉｉ）アミノ基を含有する少なくとも１つのオリゴマーもしくはポリマーと、少なくとも１つの官能化ポリビニル化合物との組み合わせ；
（ｉｉｉ）少なくとも１つの脂肪族Ｃ２−Ｃ８ジアルデヒド；
ならびに成分（ｉｖ）〜（ｖｉ）の１以上を含むアジュバント：
（ｉｖ）硫黄；
（ｖ）硫酸アンモニウム；
（ｖｉ）少なくとも１つの微量元素；
を含み、
好ましくは、成分（ｉ）の重量分率が＞５０重量％であり、組成物中の成分（ｉｉ）および（ｉｉｉ）の合計の重量分率が＜１重量％であり、組成物中の成分（ｉｖ）、（ｖ）および（ｖｉ）の合計の重量分率が＜５０重量％である、請求項１に記載の粒状組成物。
【請求項３】
前記添加剤が、成分（ｖｉｉ）：
（ｖｉｉ）脂肪族ジカルボン酸、それらの塩および無水物、脂肪族トリカルボン酸、それらの塩および無水物、芳香族ジカルボン酸、それらの塩および無水物、およびアルデヒド酸、それらの塩および無水物の群から選択される少なくとも１つの化合物；を含み、
成分（ｉ）の重量分率が＞５０重量％であり、組成物中の成分（ｉｉ）、（ｉｉｉ）および（ｖｉｉ）の合計の重量分率が＜１重量％であり、組成物中の成分（ｉｖ）、（ｖ）および（ｖｉ）の合計の重量分率が、＜５０重量％である、請求項１または２に記載の粒状組成物。
【請求項４】
（ｉ）尿素；
ならびに成分（ｉｉ）と、成分（ｉｉｉ）および（ｖｉｉ）の一方または両方とを含む添加剤：
（ｉｉ）ポリエチレンイミンとポリビニルアルコールの組み合わせもしくはポリエチレンイミンとポリビニルアミンとの組み合わせ；
（ｉｉｉ）少なくとも１つの脂肪族Ｃ２−Ｃ８ジアルデヒド；
（ｖｉｉ）脂肪族ジカルボン酸、それらの塩および無水物、脂肪族トリカルボン酸、それらの塩および無水物、芳香族ジカルボン酸、それらの塩および無水物、およびアルデヒド酸、それらの塩および無水物の群から選択される少なくとも１つの化合物；
ならびに成分（ｉｖ）〜（ｖｉ）の１以上を含むアジュバント：
（ｉｖ）硫黄；
（ｖ）硫酸アンモニウム；
（ｖｉ）少なくとも１つの微量元素；を含み、
好ましくは成分（ｉ）の重量分率が＞５０重量％であり、組成物中の成分（ｉｉ）、（ｉｉｉ）および（ｖｉｉ）の合計の重量分率が＜１重量％であり、組成物中の成分（ｉｖ）、（ｖ）および（ｖｉ）の合計の重量分率が、＜５０重量％である、請求項１〜３のいずれか一項に記載の粒状組成物。
【請求項５】
（ｉ）尿素；
ならびに成分（ｉｉ）と、成分（ｉｉｉ）および（ｖｉｉ）の一方または両方とを含む添加剤：
（ｉｉ）ポリエチレンイミンとポリビニルアミンとの組み合わせ；
（ｉｉｉ）エタンジアールおよび／もしくはグルタルアルデヒド；
（ｖｉｉ）シュウ酸、コハク酸、クエン酸、フタル酸、無水フタル酸、グリオキシル酸およびそれらの塩からなる群から選択される少なくとも１つの化合物
ならびに成分（ｉｖ）〜（ｖｉ）の１以上を含むアジュバント：
（ｉｖ）硫黄；
（ｖ）硫酸アンモニウム；
（ｖｉ）少なくとも１つの微量元素；を含み、
好ましくは成分（ｉ）の重量分率が＞５０重量％であり、組成物中の成分（ｉｉ）、（ｉｉｉ）および（ｖｉｉ）の合計の重量分率が＜１重量％であり、組成物中の成分（ｉｖ）、（ｖ）および（ｖｉ）の合計の重量分率が＜５０重量％である、請求項１〜４のいずれか一項に記載の粒状組成物。
【請求項６】
成分（ｉｉ）の前記ポリエチレンイミンの分子量が、５００〜２００００００Ｄａの範囲内である、請求項１〜５のいずれか一項に記載の粒状組成物。
【請求項７】
成分（ｉｉ）の前記ポリビニルアミンの分子量が、５００〜１００００００Ｄａの範囲内である、請求項１〜６のいずれか一項に記載の粒状組成物。
【請求項８】
組成物中の成分（ｉｉ）、（ｉｉｉ）および（ｖｉｉ）の合計の重量分率が＜０．５重量％、好ましくは＜０．４重量％、より好ましくは＜０．３重量％、非常に好ましくは＜０．２５重量％であることを特徴とする、請求項１〜７のいずれか一項に記載の粒状組成物。
【請求項９】
尿素を含む粒状組成物を製造するための、請求項１〜８のいずれか一項に記載の添加剤および／またはアジュバントの使用。
【請求項１０】
尿素を含む粒状組成物を製造するための方法であって、
（Ａ）尿素含有溶液を準備するステップと；
（Ｂ）請求項１〜８のいずれか一項に記載の添加剤および／またはアジュバントの添加によって前記尿素含有溶液を粒状化または小球化するステップと
を含む、方法。
【請求項１１】
前記溶液の尿素含量が＞１０重量％、好ましくは＞５０重量％である、請求項１０に記載の方法。
【請求項１２】
請求項１０または１１に記載の方法であって、尿素含有溶液が、ステップ（Ｂ）で流動層造粒を用いて粒状化され、前記ステップが
（Ｂ１）尿素含有核を準備するステップ；
（Ｂ２）前記尿素含有核を流動化させるステップ；
（Ｂ３）請求項１〜６のいずれかに記載の添加剤および／またはアジュバントを用いて前記尿素含有溶液を前記核に噴霧するステップを含む、方法。
【請求項１３】
前記尿素含有溶液の温度が＞１２０℃、好ましくは＞１２５℃、より好ましくは＞１３０℃である、請求項１０〜１２のいずれか一項に記載の方法。
【請求項１４】
ステップ（Ｃ）：
（Ｃ）前記粒状尿素組成物をその製造後に３つの画分に分離するステップであって、
１つの画分（Ｆ１）が、望ましい標的サイズの粒子を含有し、
１つの画分（Ｆ２）が、望ましい標的サイズを上回るサイズの粒子を含有し、かつ
１つの画分（Ｆ３）が、望ましい標的サイズを下回るサイズの粒子を含有する、
ステップを含む、請求項１０〜１３のいずれか一項に記載の方法。
【請求項１５】
（Ｄ）湿潤スクラビング
のステップ（Ｄ）を含む、請求項１０〜１４のいずれか一項に記載の方法。
【請求項１６】
請求項１０〜１５のいずれか一項に記載の方法によって得られる粒状組成物。
【請求項１７】
請求項１〜７および１５のいずれか一項に記載の粒状尿素組成物の肥料としての使用。
【請求項１８】
尿素を含む粒状組成物を製造するための装置であって、
（ａ）造粒機；
（ｂ）上記の添加剤および／またはアジュバントを添加するための少なくとも１つの手段；
（ｃ）前記粒状組成物を異なる粒度の画分に分離するための少なくとも１つの手段；
（ｄ）随意に、酸スクラブを実施するための少なくとも１つの手段：
を備える、装置。
【発明の詳細な説明】
【技術分野】
【０００１】
本発明は、粒状の尿素含有組成物、および粒状の尿素含有組成物を製造するための添加剤の使用に関する。
【背景技術】
【０００２】
粒状の尿素含有組成物を製造するための様々な方法が、先行技術で公知である。従来、尿素粒子は、実質的に水を含まない尿素溶融物（含水量は０．１〜０．３重量％）が噴霧結晶化塔の上部から周囲温度で空気の上昇気流に噴霧され、液滴を凝固させて結晶（小球）を形成させる、噴霧結晶化によって習慣的に製造されてきた。結果として得られる小球の直径は比較的小さく、その機械的強度は低い。
【０００３】
粒状の尿素含有組成物を製造するためのさらに知られた方法は、粒子を製造するために、ドラムまたはプレート造粒ユニットか、あるいは、いわゆるスフェロダイザードラム（ｓｐｈｅｒｏｄｉｚｅｒ  ｄｒｕｍｓ）を使用する。
【０００４】
粒子直径がより大きく、機械的性質がより良好な尿素粒子は、現在、例えば米国特許第４，２１９，５８９号に記載されるように、実質的に水を含まない尿素溶融物または尿素水溶液を流動層で粒状化することによって通常製造される。これらの造粒方法では、７０〜９９．９重量％の尿素濃度を有する尿素水溶液を、平均径が２０〜１２０μｍの非常に微細に分散した液滴の形態で尿素粒子の流動層に導入し、尿素粒子に噴霧する溶液中の水が蒸発し尿素が粒子に付着するように温度を選択して、２．５ｍｍ以上の望ましい粒度を有する顆粒が製造される。
【０００５】
この方法は、特に使用する尿素溶液の含水量が５重量％を超える場合に比較的大量の細塵を生成するので、このダスティングを減らす造粒添加剤を用いることが一般的である。これらの添加剤を添加すると、顆粒状粒子および特にその表面はプラスチックのままとなる、つまりそれらの回転運動および衝突の結果として、表面が滑らかで機械的安定性が良好な円形の粒子が得られる。
【０００６】
そのため、結果として得られる顆粒は、圧縮強度および耐衝撃性が高く、摩耗によるダスティングの傾向が低く、また、長期貯蔵時でさえもケーキングの傾向が低い。しかし、そのような造粒添加剤は、流動層造粒だけでなく、上に言及されるその他の方法でも用いられる。
【０００７】
用いる造粒添加剤は、通例、ホルムアルデヒドまたは水溶性付加物および／またはホルムアルデヒドと尿素の縮合生成物であるが、比較的大量に添加されなければならず、それらの取り扱いを難しくする毒性の性質を有する。ホルムアルデヒドの排出は急性の健康および環境リスクをもたらすが、ＵＦ８０またはＵＦ８５などの尿素−ホルムアルデヒドプレポリマーの導入によりそのようなリスクは低減されている。さらに、健康リスクの問題はホルムアルデヒド蒸気への慢性的曝露に関連しても起こり、これはそのようなプレポリマーの使用によってさえも完全に回避することができない。
【０００８】
尿素含有粒子の粒状化に影響を及ぼすさらなる問題は粉塵の生成であり、粉塵はここでは直径０．５ｍｍ未満の粒子をさす。この粉塵の生成は、実質的に３つの原因に起因する。１つ目は、例えば流動層での粒子の運動および衝突による顆粒の摩耗であり、生成される粉塵の量は顆粒の機械的性質に実質的に依存する。さらに、その他の方法で使用されるノズルまたは液体分配器は、特定の直径分布をもつ液滴を各々生成し、最も細かい液滴は、尿素粒子に当たる前に凝固する、つまり、このように形成された粉塵が、出てゆく空気とともに再び造粒機から離れる。最後に、３つ目の原因は、特大の顆粒状粒子の粉砕の結果生じる粉塵であり、この粉塵は、通例、先行技術による方法およびユニットにおいて造粒機に直接移される。粉砕した粒子の１０〜２０重量％の直径は１ｍｍ未満であり、この大部分が粉塵である。従って、粉砕した粒子のこの部分は、最終生成物１メートルトン当たり１％〜１．５％の粉塵が造粒機に戻されることを意味し、産業用ユニットからの最終生成物１メートルトン当たり３〜５％の全粉塵が造粒機に起因する。
【０００９】
上で確認された欠点を回避するかまたは減らすために、ホルムアルデヒドおよびその水溶性付加物および／または縮合生成物の様々な代替物が調査されてきたが、いずれの場合も制約および／または欠点が妨げとなっている。
【００１０】
例えば、米国特許第５，７６６，３０２号に記載のようなアルカリ金属リグノスルホン酸塩の使用、あるいはグリオキサールまたは炭水化物の使用が言及される。しかし、製造方法に依存して、結果として生じる尿素生成物では、これらの代替物は黄色がかったかまたは茶色がかった変色を引き起こし、多くの場合望ましくない。その一方、例えば、ポリ酢酸ビニルとポリビニルアルコールの混合物などの表面活性物質の造粒添加剤としての使用は、同様に問題をもたらす。それは例えば添加剤を溶融液と混合する場合にこれらの添加剤が発泡する傾向があるため、またはスクラバー中で処理した尿素の粉塵が溶解されてスクラバーの効率に影響を与えるためである。これらの物質が泡を形成する傾向も最終生成物に因果関係を有し、さらに、この生成物は密度が比較的低く、市場に拒絶される。そのため、概して、この発泡する傾向は、尿素顆粒の産業上の利用において受け入れ難い。
【先行技術文献】
【特許文献】
【００１１】
【特許文献１】米国特許第４，２１９，５８９号明細書
【特許文献２】米国特許第５，７６６，３０２号明細書
【発明の概要】
【発明が解決しようとする課題】
【００１２】
そのため、本発明の目的は、先行技術の欠点を除去したかまたは少なくとも減少させた、粒状の尿素含有組成物を製造するための方法を提供することである。
【課題を解決するための手段】
【００１３】
この目的は、本明細書および特許請求の範囲の主題によって達成される。
【００１４】
驚くべきことに、特定の添加剤を用いると、ホルムアルデヒドおよび尿素−ホルムアルデヒド縮合物を使用せずに、満足のいく性質を有する尿素含有粒状組成物を得ることが可能であることが見出された。特に、このようにして以下のことが可能である
・ホルムアルデヒドおよび尿素−ホルムアルデヒド縮合物の使用に付随する健康および環境リスクを回避すること；および／または
・ホルムアルデヒドおよび尿素−ホルムアルデヒド縮合物を用いて製造される組成物と比較して、費用効率がより高い代替法を組成物の製造に提供すること；および／または
・組成物の不要な着色を減らすかもしくは完全に回避さえすること；および／または
・製造中または湿式スクラビング中に不要な発泡を減らすかもしくは完全に回避さえすること；および／または
・ホルムアルデヒドおよび尿素−ホルムアルデヒド縮合物を使用する場合に匹敵する粒子成長を達成すること；および／または
・組成物の製造中の粉塵の形成を減らすかもしくは完全に回避さえすること；および／または
・粒子が、ホルムアルデヒドおよび尿素−ホルムアルデヒド縮合物を用いて製造される組成物と比較して、特に機械的性質、例えば、圧縮強度、耐衝撃性、特に長期貯蔵時の低い摩耗傾向またはケーキング傾向に関して、少なくとも同等であるかもしくはさらに良好な性質を有する、粒状組成物を製造すること。
【００１５】
本発明の一態様は、
（ｉ）尿素；
ならびに成分（ｉｉ）および（ｉｉｉ）の一方または両方を含む添加剤：
（ｉｉ）アミノ基を含有する少なくとも１つのオリゴマーもしくはポリマーと、少なくとも１つの官能化ポリビニル化合物との組み合わせ；
（ｉｉｉ）少なくとも１つの脂肪族Ｃ２−Ｃ８ジアルデヒド；
ならびに成分（ｉｖ）〜（ｖｉ）の１以上を含むアジュバント：
（ｉｖ）硫黄；
（ｖ）硫酸アンモニウム；
（ｖｉ）少なくとも１つの微量元素；
を含み、
成分（ｉ）の重量分率が＞１０重量％であり、組成物中の成分（ｉｉ）および（ｉｉｉ）の合計の重量分率が＜１重量％である、粒状組成物に関する。
【００１６】
本発明のさらなる態様は、
（ｉ）尿素；
ならびに成分（ｉｉ）および（ｉｉｉ）の一方または両方を含む添加剤：
（ｉｉ）アミノ基を含有する少なくとも１つのオリゴマーまたはポリマーと、少なくとも１つの官能化ポリビニル化合物との組み合わせ；
（ｉｉｉ）少なくとも１つの脂肪族Ｃ２−Ｃ８ジアルデヒド；
ならびに成分（ｉｖ）〜（ｖｉ）の１以上を含むアジュバント：
（ｉｖ）硫黄；
（ｖ）硫酸アンモニウム；
（ｖｉ）少なくとも１つの微量元素
を含み、
成分（ｉ）の重量分率が＞５０重量％であり、個々の成分としてまたは組成物中の成分（ｉｖ）および（ｖ）の重量分率が＜５０重量％であり、成分（ｖｉ）の重量分率が＜５重量％であり、組成物中の成分（ｉｉ）および（ｉｉｉ）の合計の重量分率が＜１重量％である、粒状組成物に関する。
【００１７】
１つの好ましい実施形態では、粒状組成物中の成分（ｉ）の重量分率は、＞３０重量％、より好ましくは５０重量％、より好ましくはさらに＞６０重量％、非常に好ましくは＞７０重量％、特に好ましくは＞８０重量％、より好ましくはさらに＞９６重量％である。
【００１８】
粒状組成物中の成分（ｉｉ）および（ｉｉｉ）の合計の重量分率は、好ましくは＜１重量％、より好ましくは＜０．８重量％、より好ましくはさらに＜０．６重量％、非常に好ましくは＜０．４重量％、特に＜０．２重量％である。
【００１９】
粒状組成物に対するアジュバントが成分（ｉｖ）だけを含む場合、粒状組成物中の成分（ｉｖ）の重量分率は、好ましくは＜５０重量％、より好ましくは＜４０重量％、より好ましくはさらに＜３０重量％、非常に好ましくは＜２０重量％、特に＜１０重量％である。粒状組成物に対するアジュバントが成分（ｉｖ）だけを含む場合、粒状組成物中の成分（ｉｖ）の重量分率は、好ましくは１〜３０重量％の範囲内、より好ましくは２〜２０重量％の範囲内、特に３〜１０重量％の範囲内である。
【００２０】
粒状組成物に対するアジュバントが成分（ｖ）だけを含む場合、粒状組成物中の成分（ｖ）の重量分率は、好ましくは＜５０重量％、より好ましくは＜４０重量％、より好ましくはさらに＜３０重量％、非常に好ましくは＜２０重量％、特に＜１０重量％である。
【００２１】
粒状組成物に対するアジュバントが成分（ｉｖ）と成分（ｖ）の両方を含む場合、粒状組成物中の成分（ｉｖ）および（ｖ）の合計の重量分率は、＜５０重量％、より好ましくは＜４０重量％、より好ましくはさらに＜３０重量％、非常に好ましくは＜２０重量％、特に＜１０重量％である。
【００２２】
粒状組成物に対するアジュバントが成分（ｖｉ）を含む場合、粒状組成物中の成分（ｖｉ）の重量分率は、好ましくは＜５重量％、より好ましくは＜４重量％、より好ましくはさらに＜３重量％、非常に好ましくは＜２重量％、特に＜１重量％である。
【００２３】
本発明に従って用いられるアミノ基を含むオリゴマーおよびポリマーは、特に、２５０〜２００００００、３００〜２００００００、３５０〜２００００００、４００〜２００００００、４５０〜２００００００、５００〜２００００００、５５０〜２００００００、６００〜２００００００、６５０〜２００００００、７００〜２００００００、７５０〜２００００００、８００〜２００００００、８５０〜２００００００、９００〜２００００００、９５０〜２００００００、１０００〜２００００００、１０５０〜２００００００、１１００〜２００００００、１１５０〜２００００００、および１２００〜２００００００ダルトンの分子量（ＭＷ）を有するポリマーおよびオリゴマーを含む。
【００２４】
例えば、本発明に従って用いられるアミノ基を含むオリゴマーおよびポリマーは、５００〜１００００００、５５０〜１００００００、６００〜１００００００、６５０〜１００００００、７００〜１００００００、７５０〜１００００００、８００〜１００００００、８５０〜１００００００、９００〜１００００００、９５０〜１００００００、１０００〜１００００００、１０５０〜１００００００、１１００〜１００００００、１１５０〜１００００００、さらに１２００〜１００００００ダルトンの分子量（ＭＷ）を有するか、または５００〜１００００、５５０〜１００００、６００〜１００００、６５０〜１００００、７００〜１００００、７５０〜１００００、８００〜１００００、８５０〜１００００、９００〜１００００、９５０〜１００００、１０００〜１００００、１０５０〜１００００、１１００〜１００００、１１５０〜１００００、さらに１２００〜１００００ダルトンの範囲内の分子量（ＭＷ）を有しうる。
【００２５】
アミノ基を含有するオリゴマーおよびポリマーは、好ましくはポリマーまたはオリゴマーの重量に基づいて１０〜５０重量％の窒素含量を有し、互いに独立にアルキルまたはアリールアルキル基、例えばＣ１−６アルキルまたはアリール−Ｃ１−３アルキルなどを含有する一級、二級または三級アミノ基を含むことができ、ここでアリールは、特にフェニルまたはピリジルであってよく、それは非置換であってもよいし、互いに独立にＦ、Ｃｌ、Ｂｒ、ＣＦ３、Ｃ１−６アルキル、Ｃ１−６アルコキシ、ＮＨ２、Ｃ１−６アルキルアミノおよびジ（Ｃ１−６アルキル）アミノからなる群から選択される１、２、３、４または５個の置換基によって置換されていてもよい。
【００２６】
アミノ基を含有するオリゴマーおよびポリマーとして考えられる例としては、ポリアミン、ポリマー性ポリアミン、窒素置換ビニルポリマー、ポリオキサゾリン、ポリプロピレンイミンおよびそのデンドリマー、ポリエチレンイミンおよびそのデンドリマー、ポリアミドアミンおよびそのデンドリマー、さらに述べた物質のコポリマーおよび誘導体ならびに述べた物質の２以上の組み合わせが挙げられる。
【００２７】
アミノ基を含有する好ましいオリゴマーおよびポリマーは、ポリアミンおよびポリマー性ポリアミン、ポリアルキレンイミン、例えば、ポリエチレンイミンおよびポリプロピレンイミンなど、ポリビニルアミン、ポリアルコキシル化ポリアミン、エトキシル化ポリアミン、プロポキシ化ポリアミン、アルキル化およびベンジル化ポリアミン、さらに上述の成分の２以上の組み合わせを含む。
【００２８】
アミノ基を含有するオリゴマーおよびポリマーとしての使用に特に好ましいのは、ポリエチレンイミン、ポリエチレンイミンデンドリマー、さらにそれらのコポリマー、誘導体およびこれらの成分の少なくとも２つの混合物である。
【００２９】
適したポリエチレンイミンは、例えば、１０以上のモノマー単位を有する線状または分枝状ポリエチレンイミンポリマーまたはオリゴマー、さらにそれらの誘導体、類似体、コポリマーおよびこれらの成分の少なくとも２つの混合物を含みうる。
【００３０】
ポリエチレンイミンは、エチレンイミンの重合によって得ることができ、例えば、Ｌｕｐａｓｏｌ（登録商標）およびＥｐｏｍｉｎ（登録商標）製品ファミリーの形で市販されており、より詳細には、Ｌｕｐａｓｏｌ（登録商標）Ｇ２０、Ｌｕｐａｓｏｌ（登録商標）ＦＧ、Ｌｕｐａｓｏｌ（登録商標）Ｇ３５、Ｌｕｐａｓｏｌ（登録商標）Ｐ、およびＬｕｐａｓｏｌ（登録商標）１５９５（Ｌｕｐａｓｏｌ（登録商標）製品はＢＡＳＦ社（米国ニュージャージー州Ｆｌｏｒｈａｍ  Ｐａｒｋ）より入手可能）、さらにＥｐｏｍｉｎ（登録商標）ＳＰ−００３、Ｅｐｏｍｉｎ（登録商標）ＳＰ−００６、Ｅｐｏｍｉｎ（登録商標）ＳＰ−０１２、Ｅｐｏｍｉｎ（登録商標）ＳＰ−０１８、Ｅｐｏｍｉｎ（登録商標）ＳＰ−２００、Ｅｐｏｍｉｎ（登録商標）ＳＰ−１０００、およびＥｐｏｍｉｎ（登録商標）ＳＰ−１０５０製品（Ｅｐｏｍｉｎ（登録商標）製品は株式会社日本触媒（日本、大阪）より入手可能）が挙げられる。
【００３１】
本発明に従って企図される官能化ポリビニル化合物は、より詳細には、繰り返し単位（ＣＨＸＣＨＹ）ｎに基づく化合物であり、式中、Ｘは、Ｈ、ＮＨ２、ＯＨ、ＣＯＯＨ、ＣＯＲ、ＣＯＮＨ２、ＣＨ２ＮＨ２、ＣＨ２ＮＨＲ、ＣＨ２ＯＨおよびＣＨ２ＯＲからなる群から選択され、Ｙは、ＮＨ２、ＯＨ、ＣＯＯＨ、ＣＯＲ、ＣＯＮＨ２、ＣＨ２ＮＨ２、ＣＨ２ＮＨＲ、ＣＨ２ＯＨおよびＣＨ２ＯＲからなる群から選択され、Ｒは、独立に、各出現においてアルキル、特にＣ１−６アルキル、またはアリール、特にフェニルまたはピリジルであってよく、それは非置換であってもよいし、互いに独立にＦ、Ｃｌ、Ｂｒ、ＣＦ３、Ｃ１−６アルキル、Ｃ１−６アルコキシ、ＮＨ２、Ｃ１−６アルキルアミノおよびジ（Ｃ１−６アルキル）アミノからなる群から選択される１、２、３、４または５個の置換基によって置換されていてもよい。
【００３２】
本発明に従って用いられる官能化ポリビニル化合物の分子量（ＭＷ）は、例えば２５０〜２００００００、３００〜２００００００、３５０〜２００００００、４００〜２００００００、４５０〜２００００００、５００〜２００００００、５５０〜２００００００、６００〜２００００００、６５０〜２００００００、７００〜２００００００、７５０〜２００００００、８００〜２００００００、８５０〜２００００００、９００〜２００００００、９５０〜２００００００、１０００〜２００００００、１０５０〜２００００００、１１００〜２００００００、１１５０〜２００００００、さらに１２００〜２００００００ダルトンであってよい。
【００３３】
企図される官能化ポリビニル化合物は、好ましくはポリビニルアルコールまたはポリビニルアミンまたはその混合物である。特に好ましい官能化ポリビニル化合物はポリビニルアミンである。
【００３４】
ポリビニルアミンおよびポリビニルアルコールの分子量（ＭＧ）は、各々好ましくは５００〜１００００００、５５０〜１００００００、６００〜１００００００、６５０〜１００００００、７００〜１００００００、７５０〜１００００００、８００〜１００００００、８５０〜１００００００、９００〜１００００００、９５０〜１００００００、１０００〜１００００００、１０５０〜１００００００、１１００〜１００００００、１１５０〜１００００００、さらに１２００〜１００００００ダルトンでありうるか、または５００〜１００００、５５０〜１００００、６００〜１００００、６５０〜１００００、７００〜１００００、７５０〜１００００、８００〜１００００、８５０〜１００００、９００〜１００００、９５０〜１００００、１０００〜１００００、１０５０〜１００００、１１００〜１００００、１１５０〜１００００、さらに１２００〜１００００ダルトンの範囲内でありうる。
【００３５】
適したポリビニルアミンとしては、特に、ビニルホルムアミドモノマーに由来する線状ポリマーおよびコポリマーが挙げられ、カチオン性およびアニオン性ポリビニルアミンコポリマー、さらに荷電およびプロトン化ポリビニルアミンを含みうる。
【００３６】
適したポリビニルアミンは、市場で市販されており、例はＬｕｐａｍｉｎ（登録商標）製品ファミリーであり、より詳細にはＬｕｐａｍｉｎ（登録商標）１５９５、Ｌｕｐａｍｉｎ（登録商標）４５００、Ｌｕｐａｍｉｎ（登録商標）５０９５、Ｌｕｐａｍｉｎ（登録商標）９０３０、Ｌｕｐａｍｉｎ（登録商標）９０５０およびＬｕｐａｍｉｎ（登録商標）９０９５製品が挙げられる。カチオン性およびアニオン性ポリビニルアミンコポリマーの例は、Ｌｕｒｅｄｕｒ（登録商標）製品ファミリーのものであり、より詳細にはＬｕｒｅｄｕｒ（登録商標）Ａｍ  ｎａ、Ｌｕｒｅｄｕｒ（登録商標）ＡＶ、Ｌｕｒｅｄｕｒ（登録商標）ＶＨ、Ｌｕｒｅｄｕｒ（登録商標）ＶＩ、Ｌｕｒｅｄｕｒ（登録商標）ＶＭ、Ｌｕｒｅｄｕｒ（登録商標）ＰＲ８０９４、Ｌｕｒｅｄｕｒ（登録商標）ＰＲ８２６１、およびＬｕｒｅｄｕｒ（登録商標）ＰＲ８３４９製品が挙げられる。荷電またはプロトン化ポリビニルアミンの例は、Ｃａｔｉｏｆａｓｔ（登録商標）製品シリーズの製品であり、より詳細にはＣａｔｉｏｆａｓｔ（登録商標）ＧＭ、Ｃａｔｉｏｆａｓｔ（登録商標）ＰＬ、Ｃａｔｉｏｆａｓｔ（登録商標）ＰＲ８２３６、Ｃａｔｉｏｆａｓｔ（登録商標）ＶＣＢ、Ｃａｔｉｏｆａｓｔ（登録商標）ＶＦＨ、Ｃａｔｉｏｆａｓｔ（登録商標）ＶＬＷ、Ｃａｔｉｏｆａｓｔ（登録商標）ＶＭＰおよびＣａｔｉｏｆａｓｔ（登録商標）ＶＳＨ製品が挙げられる。Ｌｕｐａｍｉｎ（登録商標）、Ｌｕｒｅｄｕｒ（登録商標）、およびＣａｔｉｏｆａｓｔ（登録商標）製品はＢＡＳＦ（米国ニュージャージー州Ｆｌｏｒｈａｍ  Ｐａｒｋ）より入手可能である。
【００３７】
当業者は、（ｉｉ）による組み合わせが、特に、アミノ基を含有する少なくとも１つのオリゴマーまたはポリマーの組み合わせを、該組み合わせの第１の成分として、および少なくとも１つの官能化ポリビニル化合物の組み合わせを、該組み合わせの第２の成分として含むとして理解されるべきであることを理解する。
【００３８】
本発明の成分（ｉｉｉ）として用いられるのは、線状または分枝状の脂肪族Ｃ２−Ｃ８ジアルデヒドである。添加剤成分（ｉｉｉ）として好ましいのは、エタンジアールまたはグルタルアルデヒド、より好ましくはグルタルアルデヒドである。
【００３９】
特に指定されない限り、粒状組成物に関連して指定される重量を表す数字（重量％）は、いずれの場合も常に粒状組成物の総重量をさす。当業者は、指定された成分および重量を表す数字は粒子の任意の少量が満たす必要はないが、代わりに生成された粒子の代表的な量の平均について満たされることを認識する。
【００４０】
本発明の粒状組成物は、述べた構成要素だけでなくさらなる構成要素も含んでよい。構成要素の性質およびその量も、例えば、使用する成分（ｉ）に依存する。そのため、本発明の粒状組成物は、例えば０．０５〜０．５重量％、より特に０．１〜０．３重量％の量の水、および例えばビウレットまたはＮＨ３などの尿素合成の副生成物を含んでよい。副生成物の画分は、通例、１．５重量％以下、より特に１．２５重量％以下である。
【００４１】
１つの好ましい実施形態では、粒状組成物は、添加剤の成分（ｖｉｉ）として、脂肪族ジカルボン酸、それらの塩および無水物、脂肪族トリカルボン酸、それらの塩および無水物、芳香族ジカルボン酸、それらの塩および無水物、さらにアルデヒド酸、それらの塩および無水物の群から選択される少なくとも１つの化合物を含み、好ましくは成分（ｉ）の重量分率は＞６０重量％であり、組成物中の成分（ｉｉ）、（ｉｉｉ）および（ｖｉｉ）の合計の重量分率は＜１重量％である。
【００４２】
アジュバントは、硫黄だけか、または硫酸アンモニウムだけか、または少なくとも１つの微量元素だけを含んでよい。アジュバントは、同様に述べた成分の全ての可能性のある組み合わせを含んでよい。硫黄は、元素的に、あるいは化合物の構成要素として用いてよい。例えば、アジュバントは、硫黄を硫酸塩の形態で含んでよい。微量元素と呼ばれる元素は、好ましくは生きている実体に必要であり、通例、生物において５０ｍｇ／ｋｇ未満の質量分率で生じる。微量元素は、例えば、ホウ素、塩素、鉄、銅、マンガン、モリブデンおよび／または亜鉛を含みうる。用語「微量元素」が個々の元素だけでなく、２以上の元素のあらゆる可能な混合物も包含することを当業者は理解する。
【００４３】
１つの好ましい実施形態では、粒状組成物の成分は均一に混合される。粒状組成物中に存在する尿素を随意に硫黄と混合するため、さらなる補助剤が安定な乳濁液を形成するために必要でありうる。硫黄および尿素の乳濁液を形成するために適した方法は、当業者に公知である。また、尿素と硫酸アンモニウムの混合に必要でありうるプロセスステップも当業者に公知である。
【００４４】
当業者は、用いる成分（ｉｉ）、（ｉｉｉ）、（ｉｖ）、（ｖ）、（ｖｉ）および（ｖｉｉ）が、粒状組成物の製造の間に、相互であってもよく、尿素成分（ｉ）とであってもよい部分的にまたはさらには完全な相互作用をなしうることを理解する。公知の例としては、アルデヒドおよび／またはカルボン酸無水物と尿素の、共有結合の形成を伴う架橋、または尿素およびカルボン酸の複合体の形成が挙げられる。例えば、ポリビニルアルコールおよびポリビニルアミンなどの成分は、水素結合を形成する傾向がある。そのため、得られる最終産物中で、粒状組成物を製造する際に用いる成分は、部分的にまたは完全に修飾された形態で存在していてよい。そのような修飾された成分も本発明に包含される。
【００４５】
特に好ましい一実施形態では、本発明の粒状組成物は、
（ｉ）尿素；
ならびに成分（ｉｉ）と、成分（ｉｉｉ）および（ｖｉｉ）の一方または両方とを含む添加剤：
（ｉｉ）ポリエチレンイミンとポリビニルアルコールとの組み合わせもしくはポリエチレンイミンとポリビニルアミンとの組み合わせ；
（ｉｉｉ）少なくとも１つの脂肪族Ｃ２−Ｃ８ジアルデヒド；
（ｖｉｉ）脂肪族ジカルボン酸、それらの塩および無水物、脂肪族トリカルボン酸、それらの塩および無水物、芳香族ジカルボン酸、それらの塩および無水物、およびアルデヒド酸、それらの塩および無水物の群から選択される少なくとも１つの化合物；
ならびに成分（ｉｖ）〜（ｖｉ）の１以上を含むアジュバント：
（ｉｖ）硫黄；
（ｖ）硫酸アンモニウム；
（ｖｉ）少なくとも１つの微量元素；を含み、
好ましくは成分（ｉ）の重量分率は＞５０重量％であり、組成物中の成分（ｉｉ）、（ｉｉｉ）および（ｖｉｉ）の合計の重量分率が＜１重量％であり、組成物中の成分（ｉｖ）、（ｖ）および（ｖｉ）の合計の重量分率は＜５０重量％である。
【００４６】
本発明の組成物が脂肪族ジカルボン酸を成分（ｖｉｉ）として含む場合、成分（ｖｉｉ）は、好ましくは、シュウ酸、マロン酸、コハク酸、グルタル酸、アジピン酸、ピメリン酸、スベリン酸、アゼライン酸、セバシン酸、ウンデカン二酸、ドデカン二酸、トリデカン二酸、テトラデカン二酸、ヘキサデカン二酸、さらにそれらの塩および無水物の各々からなる群から選択されてよい。存在する成分（ｖｉｉ）の特に好ましいジカルボン酸は、シュウ酸、コハク酸またはこれらの２つの酸の混合物である。
【００４７】
本発明の組成物が脂肪族トリカルボンを成分（ｖｉｉ）として含む場合、成分（ｖｉｉ）は、好ましくは、クエン酸、イソクエン酸、さらにそれらの塩および無水物の各々からなる群から選択されてよい。存在する成分（ｖｉｉ）の特に好ましいトリカルボン酸は、クエン酸である。
【００４８】
本発明の組成物が芳香族ジカルボン酸またはその無水物を成分（ｖｉｉ）として含む場合、成分（ｖｉｉ）は、好ましくは、フタル酸、無水フタル酸、イソフタル酸およびテレフタル酸からなる群から選択されてよい。存在する成分（ｖｉｉ）の特に好ましい芳香族ジカルボン酸および／またはその無水物は、フタル酸、無水フタル酸またはそれらの混合物である。
【００４９】
本発明の組成物がアルデヒド酸を成分（ｖｉｉ）として含む場合、成分（ｖｉｉ）は、好ましくはグリオキシル酸である。
【００５０】
成分（ｖｉｉ）の１つの酸がその塩の形態である場合、特に企図される塩は、アルカリ金属、例えば、ナトリウムおよびカリウムの塩、ならびにアルカリ土類金属、例えば、カルシウムおよびマグネシウムの塩だけでなく、アンモニウム塩、特に［ＮＨｘＲ４−ｘ］＋型のものである（式中、ｘ＝０、１、２、３または４であり、Ｒは線状または分枝状のＣ１−４アルキル基である）。
【００５１】
さらに好ましい実施形態では、粒状組成物は、
（ｉ）尿素；
ならびに成分（ｉｉ）と、成分（ｉｉｉ）および（ｖｉｉ）の一方または両方とを含む添加剤：
（ｉｉ）ポリエチレンイミンとポリビニルアミンとの組み合わせ；
（ｉｉｉ）エタンジアールおよび／もしくはグルタルアルデヒド；
（ｖｉｉ）シュウ酸、コハク酸、クエン酸、フタル酸、無水フタル酸、グリオキシル酸およびそれらの塩からなる群から選択される少なくとも１つの化合物
ならびに成分（ｉｖ）〜（ｖｉ）の１以上を含むアジュバント：
（ｉｖ）硫黄；
（ｖ）硫酸アンモニウム；
（ｖｉ）少なくとも１つの微量元素；を含み、
好ましくは成分（ｉ）の重量分率は＞５０重量％であり、組成物中の成分（ｉｉ）、（ｉｉｉ）および（ｖｉｉ）の合計の重量分率は＜１重量％であり、組成物中の成分（ｉｖ）、（ｖ）および（ｖｉ）の合計の重量分率は＜５０重量％である。
【００５２】
粒状組成物の特に好ましい実施形態は、
（ｉ）尿素；
ならびに群（ａ）〜（ｉ）から選択される添加剤
（ａ）（ｉｉ）ポリエチレンイミンとポリビニルアミンとの組み合わせを含む添加剤；
（ｂ）（ｉｉｉ）グルタルアルデヒドを含む添加剤；
（ｃ）（ｉｉ）ポリエチレンイミンとポリビニルアミンとの組み合わせおよび（ｖｉｉ）シュウ酸を含む添加剤；
（ｄ）（ｉｉ）ポリエチレンイミンとポリビニルアミンとの組み合わせおよび（ｖｉｉ）クエン酸を含む添加剤；
（ｅ）（ｉｉ）ポリエチレンイミンとポリビニルアミンとの組み合わせおよび（ｖｉｉ）コハク酸を含む添加剤；
（ｆ）（ｉｉ）ポリエチレンイミンとポリビニルアミンとの組み合わせおよび（ｖｉｉ）フタル酸を含む添加剤；
（ｇ）（ｉｉ）ポリエチレンイミンとポリビニルアミンとの組み合わせおよび（ｖｉｉ）無水フタル酸を含む添加剤；
（ｈ）（ｉｉ）ポリエチレンイミンとポリビニルアミンとの組み合わせおよび（ｖｉｉ）グルタルアルデヒドを含む添加剤；
（ｉ）（ｉｉ）ポリエチレンイミンとポリビニルアミンとの組み合わせおよび（ｖｉｉ）グリオキシル酸を含む添加剤；
ならびに成分（ｉｖ）〜（ｖｉ）の１以上を含むアジュバント：
（ｉｖ）硫黄；
（ｖ）硫酸アンモニウム；
（ｖｉ）少なくとも１つの微量元素；を含み、
好ましくは成分（ｉ）の重量分率は＞５０重量％であり、組成物中の成分（ｉｉ）、（ｉｉｉ）および（ｖｉｉ）の合計の重量分率は＜１重量％であり、組成物中の成分（ｉｖ）、（ｖ）および（ｖｉ）の合計の重量分率は＜５０重量％である。
【００５３】
粒状組成物中の成分（ｉ）の重量分率は、好ましくは＞５０重量％、より好ましくは＞６０重量％、非常に好ましくは＞９６重量％である。
【００５４】
添加剤成分の重量分率は、例えば、使用する成分（ｉｉ）、（ｉｉｉ）および（ｖｉｉ）に応じて変動することがある。粒状組成物中の成分（ｉｉ）、（ｉｉｉ）および（ｖｉｉ）の合計の重量分率は、好ましくは＜０．５重量％、より好ましくは＜０．４重量％、非常に好ましくは＜０．３重量％、さらにより好ましくは＜０．２５重量％である。
【００５５】
添加剤成分が２以上の成分を含む場合、その相対比も変動することがある。従って、例えば、成分（ｉｉ）および（ｉｉｉ）の重量比または成分（ｉｉ）および（ｖｉｉ）の重量比は、１：２０〜２０：１、好ましくは１：１５〜１５：１、より好ましくは１：１０〜１０：１の範囲内であってよく、それらの間の増分値を含みうる。
【００５６】
粒状組成物の特に好ましい実施形態は、ポリエチレンイミンとポリビニルアミンとの組み合わせを含む。これらの２つの成分の組み合わせの中でのポリエチレンイミンおよびポリビニルアミンの重量比は、例えば、１：２０〜２０：１、好ましくは１：１５〜１５：１、より好ましくは１：１０〜１０：１の範囲内で変動することがあり、それらの間の増分値を含みうる。
【００５７】
さらに、２つの成分ポリエチレンイミンとポリビニルアミンの組み合わせと成分（ｉｉｉ）との重量比、または２つの成分ポリエチレンイミンとポリビニルアミンの組み合わせと成分（ｖｉｉ）との重量比も変動することがあり、いずれの場合も、例えば、１：２０〜２０：１、好ましくは１：１５〜１５：１、より好ましくは１：１０〜１０：１の範囲内およびそれらの間の増分値を含みうる。
【００５８】
アジュバントが２以上の成分を含む場合、その相対比も変動することがある。従って、例えば、成分（ｉｖ）と（ｖ）の重量比または成分（ｉｖ）と（ｖｉ）の重量比およびまたは成分（ｖ）と（ｖｉ）の重量比は、１：２０〜２０：１、好ましくは１：１５〜１５：１、より好ましくは１：１０〜１０：１の範囲内であることがあり、それらの間の増分値を含んでよい。
【００５９】
好ましい実施形態では、本発明の粒状組成物は、ホルムアルデヒドを実質的に含まない。本発明の意味において「ホルムアルデヒドを実質的に含まない」という表現は、組成物に＜０．１重量％、好ましくは＜０．０５重量％、より好ましくは＜０．００５重量％、さらにより好ましくは＜００００５重量％のホルムアルデヒドが含まれることを意味する。
【００６０】
本発明のさらなる態様は、尿素を含む粒状組成物を製造するための上記の添加剤および／またはアジュバントの使用に関する。
【００６１】
本発明の粒状組成物に関連して上に記載された全ての好ましい実施形態はまた、尿素を含む粒状組成物を製造するための添加剤および／またはアジュバントの本発明の使用についても相応して有効であり、従ってこの点で繰り返されることはない。
【００６２】
本発明のさらなる態様は、
（Ａ）尿素含有溶液を準備するステップ；
（Ｂ）流動層中、造粒ドラム中または造粒プレート上で尿素含有溶液を粒状化するか、あるいは尿素含有溶液を小球化するステップ（いずれの場合も、上記の組成の添加剤および／またはアジュバントを添加することによる）、
を含む、尿素を含む粒状組成物を製造するための方法に関する。
【００６３】
本発明の粒状組成物に関連して上に記載される全ての好ましい実施形態はまた、尿素を含む粒状組成物を製造するための本発明の方法についても相応して有効であり、従ってこの点で繰り返されることはない。
【００６４】
本発明の方法の好ましい一実施形態では、ステップ（Ａ）で使用される溶液の尿素含量は、＞５０重量％、好ましくは＞６０重量％、より好ましくは＞７０重量％、非常に好ましくは＞８０重量％、より好ましくはさらに＞９６重量％である。
【００６５】
ステップ（Ｂ）による添加剤および／またはアジュバントの添加による尿素含有溶液の粒状化は、例えば噴霧結晶化（小球化）、ドラム造粒または流動層造粒を用いるような、当業者に公知の慣習的な技法によって行われてよい。
【００６６】
本発明の方法の好ましい一実施形態では、ステップ（Ｂ）の粒状化は、流動層中、造粒ドラム中、または造粒プレート上での粒状化を用いるか、あるいは小球化を用いて行われる。尿素含有溶液は、好ましくはステップ（Ｂ）で、
（Ｂ１）尿素含有核を準備するステップ；
（Ｂ２）尿素含有核を流動化するステップ；
（Ｂ３）上記の組成の添加剤および／またはアジュバントを用いて尿素含有溶液に噴霧するステップ、を含む流動層造粒を用いて粒状化される。
【００６７】
添加剤および／またはアジュバントが２以上の成分を含む場合、これらの成分の各々は、個々にまたは一緒に使用されるか、あるいは、本発明の方法においてプレミックスの形態で使用されてよい。タイミングおよび成分の添加は変動することがある。例えば、１以上の成分を準備した尿素溶液に添加すること、あるいは、前記溶液が噴霧によって塗布される直前になってから１以上の成分を尿素含有溶液に添加することが可能である。成分の性質に応じて、成分を溶液、懸濁液、乳濁液などの形態で使用することが有利でありうる。溶液またはその他の製剤に企図される適した液体としては、特に水が挙げられるが、例えば、アルコール、エーテル等の有機溶媒も挙げられる。
【００６８】
尿素含有溶液の温度は、好ましくは＞１２０℃、より好ましくは１２５℃、非常に好ましくは＞１３０℃である。
【００６９】
本発明の一実施形態では、本方法は、ステップ（Ｃ）：
（Ｃ）：粒状尿素組成物をその製造後に３つの画分に分離するステップ
を含み、この際、
１つの画分（Ｆ１）は、望ましい標的サイズの粒子を含有し、
１つの画分（Ｆ２）は、望ましい標的サイズを上回るサイズの粒子を含有し、かつ
１つの画分（Ｆ３）は、望ましい標的サイズを下回るサイズの粒子を含有し、
好ましくは、画分Ｆ２（粒子の粉砕後）および画分Ｆ３は、方法に戻される。
【００７０】
尿素の調製のためのユニットおよびその粒状組成物へのさらなる処理のためのユニットでは、通例、アンモニアが生成される。このアンモニアは、適した酸、例えば硝酸または硫酸などを用いてスクラビングして、例えば、対応するアンモニウム塩、例えば硝酸アンモニウムまたは硫酸アンモニウムなどにそれを変換することができ、それは例えば肥料でさらに使用するために渡すことができる。酸スクラブの適した方法および実施は、例えば、国際公開第２０１０／０６０５３５号に記載されている。
【００７１】
さらなる実施形態では、本発明の方法は、ステップ（Ｄ）：
（Ｄ）酸スクラビング
を含む。
【００７２】
酸スクラビングは、上記の成分（ｉｖ）の酸を用いて有利に行うことができる、つまりこのようにして得た塩は、本発明に従って使用される添加剤中の成分（ｉｖ）として利用することができる。
【００７３】
本発明のさらなる態様は、上記の本発明の方法によって得られる粒状組成物に関する。
【００７４】
本発明のさらなる態様は、上記の粒状尿素組成物の肥料としての使用である。
【００７５】
本発明のさらなる態様は、
（ａ）造粒機；
（ｂ）上記の添加剤および／またはアジュバントを添加するための少なくとも１つの手段；
（ｃ）粒状組成物を異なる粒度の画分に分離するための少なくとも１つの手段；
（ｄ）随意に、酸スクラブを実施するための少なくとも１つの手段：
を備える、尿素を含む粒状組成物を製造するための装置に関する。
【００７６】
本発明の装置の好ましい一実施形態では、造粒機（ａ）は流動層造粒機である。
【００７７】
本発明の装置は、本発明の方法を実施するために特に適している。そのため、本発明のさらなる態様は、尿素を含む粒状組成物を製造するために本発明の方法を実施するための本発明の装置の使用に関する。
【００７８】
本発明の方法および本発明の装置は、例えば、尿素を調製するためのユニットによって組み合わせることができる。
【００７９】
下の文章で、本発明は実施例を用いて説明される。これらの説明は単なる例であり、本発明の一般概念を制限するものではない。
【００８０】
［実施例］
［実施例１］：
実験プラントにおいて、１０８℃前後の温度で直径４０ｃｍの円筒状流動層を備える流動層造粒機で、尿素を７重量％の元素硫黄を用いて粒状化した。流動層の終わりは、直径２．０ｍｍの穴の開いたプレートを備える底面であった。約２ｍ／ｓの空塔速度で、流動化空気が流動層に流入した。流出口は、層の側壁の、底板から１０ｃｍ上方に設置された。次に、定められた量（約４５ｋｇ）の、狭い粒度分布を有する粒子または顆粒を造粒核として造粒機のカラムに導入した。核（深さ約５０ｃｍ）を含む層を約１００℃の温度の熱風で流動化し、層が運転に想定される約１０８℃の温度に達するとすぐに、約１３５℃の温度の９６〜９７重量％の強さの尿素溶液の添加を開始した。次に、供給槽から、含水量が３〜４重量％の、尿素および硫黄からなる溶液を、約１４０℃の温度で空気を２４０ｋｇ／ｈの割合で供給して動作する噴霧ノズルを経由して、３５０ｋｇ／ｈの割合で流動層造粒機に供給した。次に、下の表１に従って使用される造粒添加剤を、尿素および硫黄からなる溶液と約１３５℃で混合した。層の高さをほぼ一定に維持するために、５分の一定間隔で排出口を経由して流動層から固体を除去した。次に、このようにして除去した固体の試料を各々篩にかけてその粒度分布を測定した。固体は流動層造粒機に戻さなかった。バッチあたりの持続時間は、いずれの場合も約３０分であった。この時間が経過した後、供給を中断し、顆粒を約１００℃に冷却し、流動層造粒機から除去し、様々な画分に分離するために篩にかけた。次に、望ましい粒度分布をもつ画分を、その生成物の性質を分析するために約６０℃に冷却した。全ての画分を秤量して顆粒の成長速度を測定した。さらに、空気除去装置のバッグフィルタからの粉塵も回収し、秤量した。
【００８１】
上記の手順に従って、添加剤を添加せずに、さらに、ポリビニルアミン（ＰＶＡ）、ポリビニルアミン／ポリエチレンイミン混合物または標準的な添加剤（尿素−ホルムアルデヒド添加剤ＵＦ８０）を添加して、比較の粒状化実験も行い、各例で得られた顆粒を相応して詳しく調べ、分析した。
【００８２】
下の表１は、ダスティング、圧縮強度、密度およびケーキングに関する顆粒の対応する評価を示す。同様に報告されるダスティング感度は、小型の流動層凝縮装置から捕捉した粉塵の視覚的評価の結果である。得られた顆粒の評価に用いた等級を表１ｂに示す。
【００８３】
生成物の性質に適した分析方法は当業者に公知である。例えば、嵩密度を求めるためにはＩＳＯ３９４４またはＩＦＤＣ  Ｓ−１１２を、ダスティングを求めるためにはＩＦＤＣ  Ｓ−１１６を、圧縮強度を求めるためにはＩＦＤＣ  Ｓ−１１５を、ケーキングを求めるためにはＩＦＤＣ  Ｓ−１０６が参照される。ＩＦＤＣ技術は、米国アラバマ州マッスルショールズ所在の国際肥料開発センター（Ｉｎｔｅｒｎａｔｉｏｎａｌ  Ｆｅｒｔｉｌｉｚｅｒ  Ｄｅｖｅｌｏｐｍｅｎｔ  Ｃｅｎｔｅｒ）の技術である。
【００８４】
【表１】
2019503968.tif 000002
【００８５】
【表２】
2019503968.tif 000003
【００８６】
［実施例２］：
実施例１に記載される手順に従って、様々な投与量のクエン酸およびポリエチレンイミニン（ｐｏｌｙｅｔｈｙｌｅｎｅｉｍｉｎｉｎｅ）とポリビニルアミンとの混合物からなる本発明の造粒添加剤の効果を測定した。この例では、クエン酸は、ポリエチレンイミニン（ｐｏｌｙｅｔｈｙｌｅｎｅｉｍｉｎｉｎｅ）／ポリビニルアミンの混合物として、投与形態で噴霧の前にノズルに供給された尿素および硫黄の流れに供給された。結果として得られる、含水量が３重量％の尿素および硫黄からなる溶液を、次に１３２℃の温度で３５０ｋｇ／ｈの割合で供給し、実施例１に記載されるように詳しい調査を行った。ホルムアルデヒドを用いる対応する比較実施例を同様に実施した。
【００８７】
表１は、各例の流動層造粒機の粉塵の画分を示し、さらに実施例２の顆粒の対応する評価を記載する。
【００８８】
［実施例３］：
実施例１に説明される手順に従って、ポリエチレンイミニン（ｐｏｌｙｅｔｈｙｌｅｎｅｉｍｉｎｉｎｅ）とポリビニルアミンとの混合物５００ｍｇ／ｋｇ（いずれの場合もポリエチレンイミンとポリビニルアミンとの混合物に基づいて、４０重量％／６０重量％）とシュウ酸、クエン酸、コハク酸、フタル酸、無水フタル酸、グルタルアルデヒドさらにグリオキシル酸からなる本発明の造粒添加剤の、尿素および硫酸アンモニウムの粒状化への効果を測定した。シュウ酸、クエン酸、コハク酸、フタル酸、無水フタル酸およびグルタルアルデヒドを各々、尿素リザーバに添加し、グリオキシル酸と、ポリエチレンイミニン（ｐｏｌｙｅｔｈｙｌｅｎｅｉｍｉｎｉｎｅ）とポリビニルアミンの混合物とを、噴霧の前に、ノズルに供給される尿素および硫酸アンモニウムからなる溶液に各々添加した。この場合もやはり、このようにして得た、含水量が３重量％の溶液を、次に１３２℃の温度で３５０ｋｇ／ｈの割合で供給し、実施例１に記載されるように詳しい調査を行った。ホルムアルデヒドを用いる対応する比較実施例を同様に実施した。
【００８９】
【表３】
2019503968.tif 000004
【００９０】
実施例１〜３に従って得られた顆粒の調査によって、本発明の添加剤を添加した場合に、ダスティングと顆粒の性質（圧縮強度、ケーキング傾向）の両方が改善されたことが示された。この結果はホルムアルデヒドを使用した場合に得られた結果と同等であるか、またはそれよりもさらに良好であったが、必要とされる添加剤の量は実質的により少ない。
【手続補正書】
【提出日】平成30年2月27日(2018.2.27)
【手続補正１】
【補正対象書類名】特許請求の範囲
【補正対象項目名】全文
【補正方法】変更
【補正の内容】
【特許請求の範囲】
【請求項１】
（ｉ）尿素；
ならびに成分（ｉｉ）と、成分（ｉｉｉ）および（ｖｉｉ）の一方または両方とを含む添加剤：
（ｉｉ）ポリエチレンイミンとポリビニルアルコールの組み合わせもしくはポリエチレンイミンとポリビニルアミンとの組み合わせ；
（ｉｉｉ）少なくとも１つの脂肪族Ｃ２−Ｃ８ジアルデヒド；
（ｖｉｉ）脂肪族ジカルボン酸、それらの塩および無水物、脂肪族トリカルボン酸、それらの塩および無水物、芳香族ジカルボン酸、それらの塩および無水物、およびアルデヒド酸、それらの塩および無水物の群から選択される少なくとも１つの化合物；
ならびに成分（ｉｖ）〜（ｖ）の１以上を含むアジュバント：
（ｉｖ）硫黄；
（ｖ）硫酸アンモニウム；
好ましくは成分（ｉ）の重量分率が＞５０重量％であり、組成物中の成分（ｉｉ）、（ｉｉｉ）および（ｖｉｉ）の合計の重量分率が＜１重量％であり、組成物中の成分（ｉｖ）および（ｖ）の合計の重量分率が、＜５０重量％であり、成分（ｉｉ）および（ｉｉｉ）の重量比または成分（ｉｉ）および（ｖｉｉ）の重量比は、１：２０〜２０：１の範囲内である、粒状組成物。
【請求項２】
（ｉ）尿素；
ならびに成分（ｉｉ）と、成分（ｉｉｉ）および（ｖｉｉ）の一方または両方とを含む添加剤：
（ｉｉ）ポリエチレンイミンとポリビニルアミンとの組み合わせ；
（ｉｉｉ）エタンジアールおよび／もしくはグルタルアルデヒド；
（ｖｉｉ）シュウ酸、コハク酸、クエン酸、フタル酸、無水フタル酸、グリオキシル酸およびそれらの塩からなる群から選択される少なくとも１つの化合物
ならびに成分（ｉｖ）〜（ｖ）の１以上を含むアジュバント：
（ｉｖ）硫黄；
（ｖ）硫酸アンモニウム；
成分（ｉ）の重量分率が＞５０重量％であり、組成物中の成分（ｉｉ）、（ｉｉｉ）および（ｖｉｉ）の合計の重量分率が＜１重量％であり、組成物中の成分（ｉｖ）および（ｖ）の合計の重量分率が＜５０重量％であり、成分（ｉｉ）および（ｉｉｉ）の重量比または成分（ｉｉ）および（ｖｉｉ）の重量比は、１：２０〜２０：１の範囲内である、請求項１に記載の粒状組成物。
【請求項３】
成分（ｉｉ）の前記ポリエチレンイミンの分子量が、５００〜２００００００Ｄａの範囲内である、請求項１または２に記載の粒状組成物。
【請求項４】
成分（ｉｉ）の前記ポリビニルアミンの分子量が、５００〜１００００００Ｄａの範囲内である、請求項１〜３のいずれか一項に記載の粒状組成物。
【請求項５】
組成物中の成分（ｉｉ）、（ｉｉｉ）および（ｖｉｉ）の合計の重量分率が＜０．５重量％、好ましくは＜０．４重量％、より好ましくは＜０．３重量％、非常に好ましくは＜０．２５重量％であることを特徴とする、請求項１〜４のいずれか一項に記載の粒状組成物。
【請求項６】
尿素を含む粒状組成物を製造するための、請求項１〜５のいずれか一項に記載の添加剤および／またはアジュバントの使用。
【請求項７】
尿素を含む粒状組成物を製造するための方法であって、
（Ａ）尿素含有溶液を準備するステップと；
（Ｂ）請求項１〜５のいずれか一項に記載の添加剤および／またはアジュバントの添加によって前記尿素含有溶液を粒状化または小球化するステップと
を含む、方法。
【請求項８】
前記溶液の尿素含量が＞１０重量％、好ましくは＞５０重量％である、請求項７に記載の方法。
【請求項９】
請求項７または８に記載の方法であって、尿素含有溶液が、ステップ（Ｂ）で流動層造粒を用いて粒状化され、前記ステップが
（Ｂ１）尿素含有核を準備するステップ；
（Ｂ２）前記尿素含有核を流動化させるステップ；
（Ｂ３）請求項１〜６のいずれかに記載の添加剤および／またはアジュバントを用いて前記尿素含有溶液を前記核に噴霧するステップを含む、方法。
【請求項１０】
前記尿素含有溶液の温度が＞１２０℃、好ましくは＞１２５℃、より好ましくは＞１３０℃である、請求項７〜９のいずれか一項に記載の方法。
【請求項１１】
ステップ（Ｃ）：
（Ｃ）前記粒状尿素組成物をその製造後に３つの画分に分離するステップであって、
１つの画分（Ｆ１）が、望ましい標的サイズの粒子を含有し、
１つの画分（Ｆ２）が、望ましい標的サイズを上回るサイズの粒子を含有し、かつ
１つの画分（Ｆ３）が、望ましい標的サイズを下回るサイズの粒子を含有する、
ステップを含む、請求項７〜１０のいずれか一項に記載の方法。
【請求項１２】
（Ｄ）湿潤スクラビング
のステップ（Ｄ）を含む、請求項７〜１１のいずれか一項に記載の方法。
【請求項１３】
請求項１〜５のいずれか一項に記載の粒状尿素組成物の肥料としての使用。
【国際調査報告】
2019503968.tif 000005
2019503968.tif 000006
2019503968.tif 000007
2019503968.tif 000008
2019503968.tif 000009
2019503968.tif 000010